(57)【要約】【課題】端末リードと高圧端子とを確実に接続、導通させることのできる内燃機関用点火コイルを提供する。【解決手段】一次コイル２６、および、この一次コイル２６の外側に配置された二次コイルボビン２７の複数の鍔２７ｓで仕切られた複数の溝２７ｄに巻き付けられた二次コイル２８をセンタ鉄心２９ａが貫通するコイル・鉄心組立体２４を、絶縁ケース２１内に収容することにより、二次コイル２８の一端を絶縁ケース２１に取り付けられた高圧端子２３に、二次コイルボビン２７に一端部が取り付けられた端末リード３０を介して接続し、絶縁ケース２１内に熱硬化性樹脂３１を充填した内燃機関用点火コイル１１において、端末リード３０の他端部をＵ字状に折り曲げて高圧端子２３の端部を狭持する狭持部３０ｐを設け、この狭持部３０ｐを複数の鍔２７ｓで支持する。【選択図】図１
2008010625.tif 000002
【特許請求の範囲】
【請求項１】
一次コイル、および、この一次コイルの外側に配置された二次コイルボビンの複数の鍔で仕切られた複数の溝に巻き付けられた二次コイルを鉄心が貫通するコイル・鉄心組立体を、絶縁ケース内に収容することにより、前記二次コイルの一端を前記絶縁ケースに取り付けられた高圧端子に、前記二次コイルボビンに一端部が取り付けられた端末リードを介して接続し、前記絶縁ケース内に絶縁材を充填した内燃機関用点火コイルにおいて、
前記端末リードの他端部をＵ字状に折り曲げて前記高圧端子の端部を狭持する狭持部を設け、
この狭持部を前記複数の鍔で支持した、
ことを特徴とする内燃機関用点火コイル。
【請求項２】
請求項１に記載の内燃機関用点火コイルにおいて、
前記高圧端子の端部に、前記狭持部が係合する係止溝を設けた、
ことを特徴とする内燃機関用点火コイル。
【発明の詳細な説明】
【技術分野】
【０００１】
この発明は、自動車のエンジンなどの内燃機関の点火プラグに、火花放電を発生させるための高電圧を供給する内燃機関用点火コイルに関するものである。
【背景技術】
【０００２】
図３は従来の内燃機関用点火コイルの一例を示す部分縦断面図である。
【０００３】
図３において、内燃機関用点火コイル１１は、絶縁ケース２１と、この絶縁ケース２１の側面部分に一体的に形成されたコネクタ部２１ｃに設けられている複数の低圧端子（一次端子）２２と、絶縁ケース２１の下端部分に一体的に形成された高圧タワー部２１ｔ内に圧入された高圧端子（二次端子）２３と、絶縁ケース２１内に収容されたコイル・鉄心組立体２４と、絶縁ケース２１内に充填され、各部品相互の高電圧絶縁を行う絶縁材（絶縁樹脂）としての熱硬化性樹脂３１とで構成されている。
なお、複数の低圧端子２２は、例えば、絶縁ケース２１の成形時にインサートされる。
【０００４】
上記したコイル・鉄心組立体２４は、一次コイルボビン２５と、この一次コイルボビン２５の外周に巻線を巻き付け、積層して形成された一次コイル２６と、この一次コイル２６の外側（外周）に配置された、複数の鍔２７ｓで仕切られた複数の溝２７ｄを有する二次コイルボビン２７と、この二次コイルボビン２７の複数の溝２７ｄに巻線を巻き付け、積層して形成された二次コイル２８と、一次コイル２６と二次コイル２８とを磁気的に結合する鉄心２９と、二次コイルボビン２７の端部に一端部が取り付けられて二次コイル２８の一端（高圧端）に一端部が電気的に接続され、他端部が自身の弾性で高圧端子２３に接触することにより、二次コイル２８からの高電圧を高圧端子２３へ伝達（供給）する端末リード３０とで構成されている。
【０００５】
そして、鉄心２９は、一次コイルボビン２５、一次コイル２６、二次コイルボビン２７および二次コイル２８を貫通するセンタ鉄心２９ａと、一次コイルボビン２５、一次コイル２６、二次コイルボビン２７および二次コイル２８の外側に配置され、センタ鉄心２９ａとともに閉磁路を形成する環状鉄心２９ｂとで構成されている。
なお、複数の低圧端子２２、一次コイル２６の両端、二次コイル２８の他端は所定の回路を構成するように接続されている。
【０００６】
この内燃機関用点火コイル１１は、エンジン・コントロール・ユニット（ＥＣＵ）から供給される信号に基づき、低圧端子２２を介して一次コイル２６に通電し、一次コイル２６への通電を遮断することにより、鉄心２９に磁束が発生し、変化することによって二次コイル２８に高電圧が発生し、端末リード３０を介して高圧端子２３に高電圧が伝達される（例えば、特許文献１参照。）。
【０００７】
【特許文献１】特開２００３−４５７３０号公報
【発明の開示】
【発明が解決しようとする課題】
【０００８】
上記した内燃機関用点火コイル１１における端末リード３０の高圧端子２３への接触接続は端末リード３０の形状、端末リード３０のばね性、絶縁ケース２１内へ収容される（組み込まれる）コイル・鉄心組立体２４を構成する部品の寸法精度、コイル・鉄心組立体２４の絶縁ケース２１内への取付精度によって決まるので、端末リード３０が高圧端子２３へ所定のばね応力で接続されているかが不明である。
したがって、組立時の導通検査試験で、端末リード３０と高圧端子２３とが不導通となる場合があり、内燃機関用点火コイル１１を製造するときの大きな障害となっている。
【０００９】
この発明は、上記したような不都合を解消するためになされたもので、端末リードと高圧端子とを確実に接続、導通させることのできる内燃機関用点火コイルを提供するものである。
【課題を解決するための手段】
【００１０】
この発明は、以下のような発明である。
（１）一次コイル、および、この一次コイルの外側に配置された二次コイルボビンの複数の鍔で仕切られた複数の溝に巻き付けられた二次コイルを鉄心が貫通するコイル・鉄心組立体を、絶縁ケース内に収容することにより、前記二次コイルの一端を前記絶縁ケースに取り付けられた高圧端子に、前記二次コイルボビンに一端部が取り付けられた端末リードを介して接続し、前記絶縁ケース内に絶縁材を充填した内燃機関用点火コイルにおいて、前記端末リードの他端部をＵ字状に折り曲げて前記高圧端子の端部を狭持する狭持部を設け、この狭持部を前記複数の鍔で支持したことを特徴とする。
（２）（１）に記載の内燃機関用点火コイルにおいて、前記高圧端子の端部に、前記狭持部が係合する係止溝を設けたことを特徴とする。
【発明の効果】
【００１１】
この発明によれば、端末リードの他端部をＵ字状に折り曲げて高圧端子の端部を狭持する狭持部を設け、この狭持部を複数の鍔で支持したので、端末リードの狭持部が高圧端子の端部を狭持するとともに、端末リードの狭持部が高圧端子の端部を狭持するのを複数の鍔で支持することにより、端末リードと高圧端子とを確実に接続、導通させることができる。
そして、高圧端子の端部に、狭持部が係合する係止溝を設けたので、狭持部が係止溝に係合することにより、端末リードと高圧端子とをより一層確実に接続、導通させることができる。
【発明を実施するための最良の形態】
【００１２】
以下、この発明の実施例を図に基づいて説明する。
【００１３】
図１（ａ）はこの発明の一実施例である内燃機関用点火コイルに使用する端末リードが取り付けられた二次コイルボビンを示す側面図、図１（ｂ）は図１（ａ）に示した二次コイルボビンの正面図、図１（ｃ）は図１（ｂ）に示した二次コイルボビンの底面図、図１（ｄ）は図１（ｃ）に示した二次コイルボビンの鍔に設けた取付凹部を示す部分拡大斜視図、図２（ａ），（ｂ）は端末リードを高圧端子に接続する説明図であり、図３と同一または相当部分に同一符号を付し、その説明を省略する。
なお、この実施例の図示を省略した部分は、図３と同様に構成されている。
【００１４】
この実施例が図３に示した内燃機関用点火コイル１１と異なるところは、高圧端子２３の上端部に円柱状の細径部２３ｔを設け、この細径部２３に周回する係止溝２３ｔｄを設けた点と、端末リード３０の他端部をＵ字状に折り曲げて高圧端子２３の係止溝２３ｔｄに係合して細径部２３ｔを狭持する狭持部３０ｐを設けた点と、二次コイルボビン２７の複数、例えば、間隔を置いて高圧端子２３を挟む２つの鍔２７ｓを下側へ突出させ、この２つの鍔２７ｓに狭持部３０ｐを位置決めして支持する支持凹部２７ｓｃを設けた点とである。
【００１５】
なお、二次コイルボビン２７の軸方向の端部（図１および図３における左端部）には、端末リード３０を取り付ける取付凹部２７ａが設けられている。
そして、端末リード３０の一端部はＵ字状に折り曲げて取付部３０ａとされ、この取付部３０ａを二次コイルボビン２７の取付凹部２７ａへ挿入することにより、端末リード３０が二次コイルボビン２７に取り付けられる。
そして、高圧端子２３の細径部２３ｔは、上端部分が下側へ拡開する円錐面からなる案内面とされている。
【００１６】
次に、コイル・鉄心組立体の絶縁ケースへの収容、端末リード３０の高圧端子２３への接続などについて説明する。
まず、図２に示すように、二次コイルボビン２７の複数の溝２７ｄに巻線を巻き付け、積層して二次コイル２８を形成し、二次コイルボビン２７の取付凹部２７ａに端末リード３０の取付部３０ａを挿入するとともに、端末リード３０の狭持部３０ｐを鍔２７ｓの支持凹部２７ｓｃに位置させ、収容させた後、二次コイル２８の一端（高圧端）を、取付部３０ａの近傍に、例えば、半田付けなどによって接続する。
そして、二次コイル２８が形成され、端末リード３０が取り付けられた二次コイルボビン２７を用いてコイル・鉄心組立体を組み立てる。
【００１７】
次に、コイル・鉄心組立体を絶縁ケース内に収容させると、図２（ａ）に示すように、高圧端子２３の上部に狭持部３０ｐが位置する状態になる。
この状態で、そのままコイル・鉄心組立体を絶縁ケース内へ押し下げて収容させると、狭持部３０ｐは上側を鍔２７ｓに支持されているので、狭持部３０ｐは高圧端子２３の細径部２３ｔを抱える状態で、自身の弾性によって拡開し、図２（ｂ）に示すように、係止溝２３に係合した状態になると、コイル・鉄心組立体の、例えば、鉄心２９（環状鉄心２９ｂ）が絶縁ケースの内側に設けられた当接段部に当接して位置決めされ、端末リード３０が高圧端子２３に接続される。
以後は、従来と同様に、複数の低圧端子、一次コイルの両端、二次コイル２８の他端を、所定の回路を構成するように接続した後、絶縁ケース内に熱硬化性樹脂を充填し、各部品相互の高電圧絶縁を行う。
【００１８】
上述したように、この発明の一実施例によれば、端末リード３０の他端部をＵ字状に折り曲げて高圧端子２３の端部を狭持する狭持部３０ｐを設け、この狭持部３０ｐを複数の鍔２７ｓで支持したので、端末リード３０の狭持部３０ｐが高圧端子２３の端部を狭持するとともに、端末リード３０の狭持部３０ｐが高圧端子２３の端部を狭持するのを複数の鍔２７ｓで支持することにより、端末リード３０と高圧端子２３とを確実に接続、導通させることができる。
そして、高圧端子２３の端部に、狭持部３０ｐが係合する係止溝２３ｔｄを設けたので、狭持部３０ｐが係止溝２３ｔｄに係合することにより、端末リード３０と高圧端子２３とをより一層確実に接続、導通させることができる。
したがって、組立時の導通検査試験で、端末リード３０と高圧端子２３とが不導通となる場合がなくなる。
【００１９】
上記した実施例では、高圧端子２３の上端に細径部２３ｔを設け、この細径部２３ｔに係止溝２３ｔｄを設けた例を示したが、高圧端子の上端に細径部を設けずに直接係止溝を設けたり、高圧端子の上端に細径部および係止溝を設けなくとも、同様な効果を得ることができる。
【図面の簡単な説明】
【００２０】
【図１】（ａ）はこの発明の一実施例である内燃機関用点火コイルに使用する端末リードが取り付けられた二次コイルボビンを示す側面図、（ｂ）は図１（ａ）に示した二次コイルボビンの正面図、（ｃ）は図１（ｂ）に示した二次コイルボビンの底面図、（ｄ）は図１（ｃ）に示した二次コイルボビンの鍔に設けた取付凹部を示す部分拡大斜視図である。
【図２】（ａ），（ｂ）は端末リードを高圧端子に接続する説明図である。
【図３】従来の内燃機関用点火コイルの一例を示す部分縦断面図である。
【符号の説明】
【００２１】
１１      内燃機関用点火コイル
２１      絶縁ケース
２１ｃ    コネクタ部
２１ｔ    高圧タワー部
２２      低圧端子（一次端子）
２３      高圧端子（二次端子）
２３ｔ    細径部
２３ｔｄ  係止溝
２４      コイル・鉄心組立体
２５      一次コイルボビン
２６      一次コイル
２７      二次コイルボビン
２７ｓ    鍔
２７ｓｃ  支持凹部
２７ｄ    溝
２７ａ    取付凹部
２８      二次コイル
２９      鉄心
２９ａ    センタ鉄心
２９ｂ    環状鉄心
３０      端末リード
３０ａ    取付部
３０ｐ    狭持部
３１      熱硬化性樹脂（絶縁材、絶縁樹脂）
【図１】
2008010625.tif 000003
【図２】
2008010625.tif 000004
【図３】
2008010625.tif 000005